【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
気流を発生させるためのファンと、前記ファンを収容するケーシングと、を備え、
所定方向における前記ケーシングの先端側には吸気開口部が形成され、
前記ファンは、前記所定方向における前記ケーシングの基端側に配置され、
前記ファンが所定方向に回転すると、前記ファンの回転によって前記吸気開口部から前記ファンに向けて流れる強制渦の旋回流が形成されると共に、前記ケーシングの内周領域において前記吸気開口部側に向けて流れる循環渦の流れが形成され、前記吸気開口部を通して前記ケーシングの内部に導入された空気に含まれる塵埃は、前記旋回流によって径方向外方に遠心分離された後に前記循環渦の流れによって前記ケーシングの内周領域を前記吸気開口部側に流れ、
前記吸気開口部の中心位置は前記ファンの回転軸線の延長線から偏倚し、前記吸気開口部は前記ファンの回転軸と同軸の所定の円筒領域内に位置し、前記所定の円筒領域は前記ファンの回転半径と同一の半径を有することを特徴とするエアフィルタ装置。
【請求項２】
気流を発生させるためのファンと、前記ファンを収容するケーシングと、を備え、
所定方向における前記ケーシングの先端側には吸気開口部が形成され、前記吸気開口部の周縁部には筒状部が設けられ、
前記ファンは、前記所定方向における前記ケーシングの基端側に配置され、モータと、前記モータにより回転駆動される羽根車と、を有し、
前記ファンが所定方向に回転すると、前記ファンの回転によって前記吸気開口部から前記ファンに向けて流れる強制渦の旋回流が形成されると共に、前記ケーシングの内周領域において前記吸気開口部側に向けて流れる循環渦の流れが形成され、前記筒状部及び前記吸気開口部を通して前記ケーシングの内部に導入された空気に含まれる塵埃は、前記旋回流によって径方向外方に遠心分離された後に前記循環渦の流れによって前記ケーシングの内周領域を前記吸気開口部側に流れ、
前記筒状部の軸線方向は、前記ファンの回転軸の軸線方向に対して傾斜し、前記吸気開口部は前記所定方向において前記羽根車と対向することを特徴とするエアフィルタ装置。
【請求項３】
請求項１又は２に記載のエアフィルタ装置と、前記エアフィルタ装置に装着された集塵容器と、を備え、
前記ケーシングの先端側には連通開口部が形成され、前記集塵容器の内部空間は前記連通開口部に連通され、前記循環渦の流れによって前記ケーシングの内周領域を前記吸気開口部側に流れた塵埃は、前記連通開口部を通して前記集塵容器内に集塵されることを特徴とする集塵装置。
【請求項４】
前記所定方向は垂直方向であって、前記先端側は下方側、前記基端側は上方側であることを特徴とする請求項３に記載の集塵装置。
【請求項５】
エンジンに接続された吸気装置への塵埃侵入を防止するエアフィルタ装置であって、
前記吸気装置の吸気口に接続されるケーシングと、前記ケーシングに収容されたファンと、を備え、
所定方向における前記ケーシングの先端側には吸気開口部が形成され、
前記ファンは、前記所定方向における前記ケーシングの基端側に配置され、モータと、前記モータにより回転駆動される羽根車と、を備え、
前記羽根車は、前記モータにより回転駆動される回転軸と、前記回転軸に装着されたブレードと、を備え、前記回転軸の軸線方向は前記所定方向と実質平行であり、前記ブレードは、前記回転軸の軸線方向と実質平行な幅広面を有する平板状に形成され、
前記エンジンが駆動すると共に前記ファンが所定方向に回転すると、前記エンジンの吸気効果により外部の空気が前記吸気開口部を介して前記ケーシング内に導入されると共に、前記ファンの回転によって前記吸気開口部から前記ファンに向けて流れる強制渦の旋回流が形成され、更に前記ケーシングの内周領域において前記吸気開口部側に向けて流れる循環渦の流れが形成され、
前記吸気開口部を通して前記ケーシングの内部に導入された空気に含まれる塵埃は、前記旋回流によって径方向外方に遠心分離された後に前記循環渦の流れによって前記ケーシングの内周領域を前記吸気開口部側に流れることを特徴とするエアフィルタ装置。
【請求項６】
前記吸気開口部の中心位置は、前記回転軸の軸線の延長線から偏倚し、
前記吸気開口部は、前記回転軸と同軸の所定の円筒領域内に位置し、前記所定の円筒領域は前記ファンの回転半径と同一の半径を有することを特徴とする請求項５に記載のエアフィルタ装置。
【請求項７】
前記吸気開口部は前記所定方向において前記羽根車と対向することを特徴とする請求項５又は６に記載のエアフィルタ装置。
【請求項８】
前記吸気開口部の周縁部には筒状部が設けられ、外部の空気は前記吸気開口部及び前記筒状部を介して前記ケーシングの内部に導入され、前記筒状部の軸線方向は、前記回転軸の軸線方向に対して傾斜していることを特徴とする請求項５〜７のいずれかに記載のエアフィルタ装置。
【請求項９】
エンジンに空気を供給する吸気装置であって、
請求項５〜８のいずれかに記載のエアフィルタ装置と、前記エアフィルタ装置の下流側に接続されたフィルタボックスと、前記フィルタボックスの下流側に接続された吸気マニホールドと、を備えることを特徴とする吸気装置。
【手続補正２】
【補正対象書類名】明細書
【補正対象項目名】００１１
【補正方法】変更
【補正の内容】
【００１１】
本発明の請求項１に記載のエアフィルタ装置は、気流を発生させるためのファンと、前記ファンを収容するケーシングと、を備え、所定方向における前記ケーシングの先端側には吸気開口部が形成され、前記ファンは、前記所定方向における前記ケーシングの基端側に配置され、前記ファンが所定方向に回転すると、前記ファンの回転によって前記吸気開口部から前記ファンに向けて流れる強制渦の旋回流が形成されると共に、前記ケーシングの内周領域において前記吸気開口部側に向けて流れる循環渦の流れが形成され、前記吸気開口部を通して前記ケーシングの内部に導入された空気に含まれる塵埃は、前記旋回流によって径方向外方に遠心分離された後に前記循環渦の流れによって前記ケーシングの内周領域を前記吸気開口部側に流れ、前記吸気開口部の中心位置は前記ファンの回転軸線の延長線から偏倚し、前記吸気開口部は前記ファンの回転軸と同軸の所定の円筒領域内に位置し、前記所定の円筒領域は前記ファンの回転半径と同一の半径を有することを特徴とする。
また、本発明の請求項２に記載のエアフィルタ装置は、気流を発生させるためのファンと、前記ファンを収容するケーシングと、を備え、所定方向における前記ケーシングの先端側には吸気開口部が形成され、前記吸気開口部の周縁部には筒状部が設けられ、前記ファンは、前記所定方向における前記ケーシングの基端側に配置され、モータと、前記モータにより回転駆動される羽根車と、を有し、前記ファンが所定方向に回転すると、前記ファンの回転によって前記吸気開口部から前記ファンに向けて流れる強制渦の旋回流が形成されると共に、前記ケーシングの内周領域において前記吸気開口部側に向けて流れる循環渦の流れが形成され、前記筒状部及び前記吸気開口部を通して前記ケーシングの内部に導入された空気に含まれる塵埃は、前記旋回流によって径方向外方に遠心分離された後に前記循環渦の流れによって前記ケーシングの内周領域を前記吸気開口部側に流れ、前記筒状部の軸線方向は、前記ファンの回転軸の軸線方向に対して傾斜し、前記吸気開口部は前記所定方向において前記羽根車と対向することを特徴とする。
また、本発明の請求項３に記載の集塵装置は、請求項１又は２に記載のエアフィルタ装置と、前記エアフィルタ装置に装着された集塵容器と、を備え、前記ケーシングの先端側には連通開口部が形成され、前記集塵容器の内部空間は前記連通開口部に連通され、前記循環渦の流れによって前記ケーシングの内周領域を前記吸気開口部側に流れた塵埃は、前記連通開口部を通して前記集塵容器内に集塵されることを特徴とする。
また、本発明の請求項４に記載の集塵装置は、前記所定方向は垂直方向であって、前記先端側は下方側、前記基端側は上方側であることを特徴とする。
また、本発明の請求項５に記載のエアフィルタ装置は、エンジンに接続された吸気装置への塵埃侵入を防止するエアフィルタ装置であって、前記吸気装置の吸気口に接続されるケーシングと、前記ケーシングに収容されたファンと、を備え、所定方向における前記ケーシングの先端側には吸気開口部が形成され、前記ファンは、前記所定方向における前記ケーシングの基端側に配置され、モータと、前記モータにより回転駆動される羽根車と、を備え、前記羽根車は、前記モータにより回転駆動される回転軸と、前記回転軸に装着されたブレードと、を備え、前記回転軸の軸線方向は前記所定方向と実質平行であり、前記ブレードは、前記回転軸の軸線方向と実質平行な幅広面を有する平板状に形成され、前記エンジンが駆動すると共に前記ファンが所定方向に回転すると、前記エンジンの吸気効果により外部の空気が前記吸気開口部を介して前記ケーシング内に導入されると共に、前記ファンの回転によって前記吸気開口部から前記ファンに向けて流れる強制渦の旋回流が形成され、更に前記ケーシングの内周領域において前記吸気開口部側に向けて流れる循環渦の流れが形成され、前記吸気開口部を通して前記ケーシングの内部に導入された空気に含まれる塵埃は、前記旋回流によって径方向外方に遠心分離された後に前記循環渦の流れによって前記ケーシングの内周領域を前記吸気開口部側に流れることを特徴とする。
【手続補正３】
【補正対象書類名】明細書
【補正対象項目名】００１２
【補正方法】変更
【補正の内容】
【００１２】
また、本発明の請求項６に記載のエアフィルタ装置は、前記吸気開口部の中心位置は、前記回転軸の軸線の延長線から偏倚し、前記吸気開口部は、前記回転軸と同軸の所定の円筒領域内に位置し、前記所定の円筒領域は前記ファンの回転半径と同一の半径を有することを特徴とする。
【手続補正４】
【補正対象書類名】明細書
【補正対象項目名】００１３
【補正方法】変更
【補正の内容】
【００１３】
また、本発明の請求項７に記載のエアフィルタ装置は、前記吸気開口部は前記所定方向において前記羽根車と対向することを特徴とする。
【手続補正５】
【補正対象書類名】明細書
【補正対象項目名】００１４
【補正方法】変更
【補正の内容】
【００１４】
また、本発明の請求項８に記載のエアフィルタ装置は、前記吸気開口部の周縁部には筒状部が設けられ、外部の空気は前記吸気開口部及び前記筒状部を介して前記ケーシングの内部に導入され、前記筒状部の軸線方向は、前記回転軸の軸線方向に対して傾斜していることを特徴とする。
【手続補正６】
【補正対象書類名】明細書
【補正対象項目名】００１５
【補正方法】変更
【補正の内容】
【００１５】
更に、本発明の請求項９に記載の吸気装置は、エンジンに空気を供給する吸気装置であって、
請求項５〜８のいずれかに記載のエアフィルタ装置と、前記エアフィルタ装置の下流側に接続されたフィルタボックスと、前記フィルタボックスの下流側に接続された吸気マニホールドと、を備えることを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
本発明の請求項１に記載のエアフィルタ装置によれば、吸気開口部の中心位置はファンの回転軸線の延長線から偏倚しているので、吸気開口部の中心位置を通って導入された空気に含まれる塵埃であっても、効果的に遠心分離させることができる。また、吸気開口部は、回転軸と同軸の所定の円筒領域内に位置し、当該円筒領域はファンの回転半径と同一の半径を有するため、強制渦を効果的に形成することができる。
また、本発明の請求項２に記載のエアフィルタ装置によれば、吸気開口部の周縁部には筒状部が設けられ、外部の空気は吸気開口部及び筒状部を介してケーシングの内部に導入されるので、循環渦を効率的に形成することができる。また、筒状部の軸線方向は、回転軸の軸線方向に対して傾斜しているため、吸気開口部の中心位置を通って導入された空気に含まれる塵埃であっても、効果的に遠心分離させることができる。
また、本発明の請求項３に記載の集塵装置は、請求項１又は２に記載のエアフィルタ装置を備えるので、上述したのと同様の作用効果が得られる。
また、本発明の請求項４に記載の集塵装置によれば、所定方向は垂直方向であって、先端側は下方側であり、基端側は上方側とされていることから、循環流の流れにおいて下方へ向かう戻り流に重力が加わることになり、比較的自重の重い塵埃であっても吸気開口部側へ比較的容易に導くことが可能となり、集塵効率を向上できる。
また、本発明の請求項５に記載のエアフィルタ装置によれば、吸気開口部を通しケーシングの内部に導入された空気に含まれる塵埃は、旋回流によって径方向外方に遠心分離された後に循環渦の流れによってケーシングの内周領域を吸気開口部側に流れるので、塵埃がファンを通してケーシングの基端側へ流れるのを防止でき、これにより塵埃が吸気装置内部へ侵入するのを防止できる。よって、吸気装置が備えるフィルタにおける目詰まりを防止でき、フィルタ交換作業及びフィルタ交換費用が不要となる。また、フィルタの目詰まりによる空気抵抗の増加を防止でき、エンジンの燃焼効率の低下を防止することができる。
【手続補正１２】
【補正対象書類名】明細書
【補正対象項目名】００２３
【補正方法】変更
【補正の内容】
【００２３】
また、本発明の請求項６に記載のエアフィルタ装置によれば、吸気開口部の中心位置は、回転軸の軸線の延長線から偏倚しているので、吸気開口部の中心位置を通って導入された空気に含まれる塵埃であっても、効果的に遠心分離させることができる。また、吸気開口部は、回転軸と同軸の所定の円筒領域内に位置し、当該円筒領域はファンの回転半径と同一の半径を有するため、強制渦を効果的に形成することができる。
【手続補正１３】
【補正対象書類名】明細書
【補正対象項目名】００２４
【補正方法】変更
【補正の内容】
【００２４】
また、本発明の請求項７に記載のエアフィルタ装置によれば、吸気開口部は所定方向において羽根車と対向するので、強制渦を効果的に形成することができる。
【手続補正１４】
【補正対象書類名】明細書
【補正対象項目名】００２５
【補正方法】変更
【補正の内容】
【００２５】
また、本発明の請求項８に記載のエアフィルタ装置によれば、吸気開口部の周縁部には筒状部が設けられ、外部の空気は吸気開口部及び筒状部を介してケーシングの内部に導入されるので、循環渦を効率的に形成することができる。また、筒状部の軸線方向は、回転軸の軸線方向に対して傾斜しているため、吸気開口部の中心位置を通って導入された空気に含まれる塵埃であっても、効果的に遠心分離させることができる。
【手続補正１５】
【補正対象書類名】明細書
【補正対象項目名】００２６
【補正方法】変更
【補正の内容】
【００２６】
更に、本発明の請求項９に記載の吸気装置によれば、請求項５〜８いずれかに記載のエアフィルタ装置を有するので、上述したのと同様の作用効果が得られる。
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】